(57)【要約】【課題】冷蔵庫本体の開口周縁部への結露防止用ヒータの取り付け作業性を向上させ、結露防止用ヒータを、その発熱により効率良く結露防止する位置に確実に取り付ける。【解決手段】冷蔵庫本体１の開口部周縁に、扉５が当接する前面板部２１と、内箱９の側壁と接続する側面板部２２とからなる樹脂カバー２０が嵌められる。この前面板部２１は、ヒータ押さえ片２６と、ヒータ支持片２７を有するヒータ保持部２３と、この保持部２３から外箱８の前面側壁材１４に向かって延びる係止部２４とから形成される。ヒータ押さえ片２６が結露防止用ヒータ６を前面板部２１の裏面に押さえ付けるとともに、ヒータ支持片２７で結露防止用ヒータ６を前面板部２１に接触させた状態で支持する。これにより、樹脂カバー２０が嵌められると、結露防止用ヒータ６が、樹脂カバー２０の前面板部２１および冷蔵庫本体１の開口側壁材１５に確実に接触した状態で所定位置に取り付けられる。【選択図】図３
2008039364.tif 000002
【特許請求の範囲】
【請求項１】
扉（５）が開閉自在に取り付けられた冷蔵庫本体（１）の開口部周縁に、結露防止用ヒータ（６）が設けられた冷蔵庫において、
上記冷蔵庫本体（１）の開口部周縁の上記扉（５）との当接部が、前記冷蔵庫本体（１）に嵌めたカバー（２０）により形成され、このカバー（２０）は、上記結露防止用ヒータ（６）があらかじめ取り付けられたものであることを特徴とする冷蔵庫。
【請求項２】
上記扉（５）の冷蔵庫本体（１）の開口部周縁との当接部の全周にガスケット（７）が設けられ、そのガスケット（７）および前記冷蔵庫本体（１）の開口部周縁の前記扉（５）との当接部の一方に磁石、他方に磁性体を設けて、その磁石の前記磁性体の吸着により前記ガスケット（７）を冷蔵庫本体（１）の開口部周縁に密着する請求項１に記載の冷蔵庫にあっては、
上記カバー（２０）は、合成樹脂製からなって、上記磁性体または磁石（１８）を有するものであることを特徴とする請求項１に記載の冷蔵庫。
【請求項３】
上記冷蔵庫本体（１）は、外箱（８）内に内箱（９）を設けたものであり、上記カバー（２０）は、その上記扉（５）との当接板部（２１）と、前記冷蔵庫本体（１）の開口部周縁を形成する外箱（８）の板金とに、上記結露防止用ヒータ（６）を確実に接触させるヒータ押さえ片（２６）を有するものであることを特徴とする請求項１または２に記載の冷蔵庫。
【請求項４】
上記冷蔵庫本体（１）の開口部が仕切り桟（２）で区画され、区画された前記各開口部をそれぞれ開閉する扉（５）を備え、前記仕切り桟（２）の前記扉（５）との当接部が、前記仕切り桟（２）に嵌めた上記カバー（２０）により形成されていることを特徴とする請求項１から３のいずれかに記載の冷蔵庫。
【請求項５】
上記冷蔵庫本体（１）の開口部に上記仕切り桟（２）が取り付けられた請求項４に記載の冷蔵庫にあっては、その仕切り桟（２）が突き当たる上記カバー（２０）の側面部がシール効果を発揮する軟質材であることを特徴とする冷蔵庫。
【請求項６】
上記カバー（２０）の、上記冷蔵庫本体（１）の扉側壁材（１４）の開口側端面部（１５）との突き当て面部（３２）が、シール効果を発揮する軟質材であることを特徴とする請求項１から５のいずれかに記載の冷蔵庫。
【請求項７】
上記カバー（２０）にあらかじめ上記結露防止用ヒータ（６）への電力供給線（１７）が取り付けられたことを特徴とする請求項１から６のいずれかに記載の冷蔵庫。
【発明の詳細な説明】
【技術分野】
【０００１】
この発明は、結露防止用ヒータを備えた冷蔵庫に関するものである。
【背景技術】
【０００２】
一般に、冷蔵庫は、外箱と内箱とからなる冷蔵庫本体の内箱の内部に、貯蔵物を収納する庫室が形成され、その貯蔵物を出し入れする開口部に扉が取り付けられて、冷凍サイクルにより前記庫室内に冷気を送り込んで冷却するものである。開口部の扉にはその内面の全周にガスケットを設けて扉を閉じたときの密閉性を確保している。
【０００３】
この冷蔵庫において、扉の開閉に伴って、庫内温度と設置場所周辺の外気温との差によりガスケットに結露が発生する恐れがある。このため、従来からガスケットが当接する冷蔵庫本体の開口部周縁に結露防止用ヒータを取り付け、この結露防止用ヒータに通電してこれを発熱させ、この発熱によりガスケットを加熱して結露の発生を防止するようにしている（特許文献１）。
【特許文献１】特開平５−２４０５６５号公報
【発明の開示】
【発明が解決しようとする課題】
【０００４】
上記冷蔵庫において、断熱扉のガスケットが当接する冷蔵庫本体の開口部周縁に結露防止用ヒータを取り付ける場合、例えば、図９に示すように、外箱４０と内箱４１とからなる冷蔵庫本体の外箱４０の前面側壁材４２の内側の、ヒンジ４９を介して開閉する断熱扉４７のガスケット４８が当接する位置に、接着テープ４４を用いて結露防止用ヒータ４３が取り付けられる。その後、あらかじめ樹脂カバー４６が挿し込まれた内箱４１に、外箱４０が嵌められ、両箱４０、４１間に断熱材が充填されていた。
【０００５】
しかし、上記結露防止用ヒータ４３は、その取り付け位置が、断熱扉４７のガスケット４８の当接位置に対して庫外寄り（外箱４０の側壁寄り）であると、ガスケット４８に結露防止用ヒータ４３の熱が伝わりにくくなり、ガスケット４８に結露が発生する恐れがあった。一方、その取り付け位置が庫内寄り（内箱４１の側壁寄り）であると、ガスケット４８の結露発生は防ぐことができるが、結露防止用ヒータ４３の熱が庫内に伝わりやすくなるため、庫内の温度上昇を招き、庫内を冷却するための消費電力が増大する。
【０００６】
このように、上記結露防止用ヒータ４３の取り付けは、断熱扉４７のガスケット４８の当接位置に対して所定位置に取り付ける必要があった。このため、接着テープ４４による取り付け作業は、その位置出しが難しいだけでなく、結露防止用ヒータ４３をガスケット４８と平行に貼り付けることも難しく、多くの時間を要するという問題があった。
【０００７】
また、上記結露防止用ヒータ４３に電気を供給するリード線４５は、外箱４０の側壁の内側に接着テープ４４により取り付けられているが（図９参照）、一般に、その取り付け位置は、特に決められていないので、製品ごとに任意の位置に取り付けられている。リード線の取り付け位置が特定されていないので、外箱４０の側壁に取手などの部品用の取り付け孔を設ける際、誤ってこのリード線４５を傷つけたり切断したりするおそれがあった。
【０００８】
そこで、この発明は、冷蔵庫本体の開口周縁部への結露防止用ヒータの取り付け作業性を向上させ、結露防止用ヒータを、その発熱により効率良く結露防止する位置に確実に取り付けることを課題とする。
【課題を解決するための手段】
【０００９】
上記の課題を解決するために、この発明は、冷蔵庫本体の開口部周縁の扉との当接部が、冷蔵庫本体に嵌めたカバーにより形成され、このカバーは、結露防止用ヒータがあらかじめ取り付けられるようにしたのである。
【００１０】
冷蔵庫本体の開口周縁部に嵌める前のカバーへは、広いスペースで結露防止用ヒータを取付けることができる。このため、結露防止用ヒータをカバーの適切な位置に容易に取付けることができ、その結露防止用ヒータが適切な位置に取付けられたカバーが冷蔵庫本体の開口周縁部に嵌められると、結露防止用ヒータは前記カバーの扉との当接部に対して所定位置（適切な位置）に取り付けられる。
【発明の効果】
【００１１】
この発明は、以上のように、上記カバーが嵌められることで、その結露防止用ヒータが冷蔵庫本体の開口周縁部の扉との当接部の所定位置に取り付けられるので、冷蔵庫本体の開口周縁部への結露防止用ヒータの取り付け作業性が向上する。
【発明を実施するための最良の形態】
【００１２】
この発明の実施形態は、扉が開閉自在に取り付けられた冷蔵庫本体の開口部周縁に、結露防止用ヒータが設けられた冷蔵庫において、前記冷蔵庫本体の開口部周縁の前記扉との当接部が、前記冷蔵庫本体に嵌めたカバーにより形成され、このカバーは、前記結露防止用ヒータがあらかじめ取り付けられる構成を採用することができる。
【００１３】
この構成において、カバーは、冷蔵庫本体の内外壁を成す材料、例えば、ステンレス鋼等を採用できるが、成形性の良さ等から、合成樹脂を採用することもできる。この場合、扉の冷蔵庫本体の開口部周縁との当接部の全周にガスケットが設けられ、そのガスケットおよび前記冷蔵庫本体の開口部周縁の前記扉との当接部の一方に磁石、他方に磁性体を設けて、その磁石の前記磁性体の吸着により前記ガスケットを冷蔵庫本体の開口部周縁に密着する冷蔵庫であっては、樹脂は磁石への吸着性がないため、その冷蔵庫本体の開口部周縁の扉との当接部をなす樹脂カバー部分に、ガスケットに磁石を設けた場合は磁性体を、ガスケットに磁性体を設けた場合は磁石をそれぞれ設ける。
【００１４】
この場合、磁石及び磁性体は、板片のみならずそれらの粉末を樹脂カバー又はガスケットに混入したものを採用できる。
【００１５】
また、上記カバーが合成樹脂製であれば、成形が容易であり、結露防止用ヒータの取り付け部や、リード線を嵌める溝などを容易に成形することができる。
【００１６】
上記冷蔵庫本体は、外箱内に内箱を設けたものであり、上記カバーは、その上記扉との当接板部と、前記冷蔵庫本体の開口部周縁を形成する外箱の板金とに、上記結露防止用ヒータを確実に接触させるヒータ押さえ片を有する構成を採用することができる。このようにすれば、結露防止用ヒータが、カバーの扉との当接部および、前記冷蔵庫本体の開口部周縁を形成する外箱の板金に確実に接触した状態で保持される。
【００１７】
また、上記冷蔵庫本体の開口部が仕切り桟で区画され、区画された前記各開口部をそれぞれ開閉する扉を備え、前記仕切り桟の前記扉との当接部が、前記仕切り桟に嵌めた上記カバーにより形成されている構成を採用することができる。この構成によれば、冷蔵庫本体の開口部を区画する仕切り桟の扉との当接部にも結露防止用ヒータを容易に取り付けることができる。
【００１８】
この冷蔵庫の場合、その仕切り桟が突き当たる上記カバーの側面部がシール効果を発揮する軟質材である構成にすると、冷蔵庫本体の開口部に仕切り桟が取り付けられることにより、カバーの側面部をなす軟質材が変形し、仕切り桟と冷蔵庫本体の開口部周縁に嵌められたカバー側面部とのすき間が確実に埋まる。このすき間が埋まれば、従来、このすき間を埋めるために行っていたシール作業を省略することができる。
【００１９】
この軟質材によるシール構造は、上記カバーと上記冷蔵庫本体の扉側壁材の開口側端面部との突き当て面部とにおいても採用できる。すなわち、カバーのその突き当て面部をシール効果を発揮する軟質材とすることができる。このようにすれば、前記冷蔵庫本体の開口部周縁にカバーが嵌められ、このカバーが冷蔵庫本体に突き当てられることにより、その突き当て面部をなす軟質材が変形しカバーの扉との当接部と冷蔵庫本体の開口部周縁とのすき間が確実に埋まる。このすき間が埋まれば、従来、このすき間を埋めるために行っていたシール作業を省略することができる。
【００２０】
上記カバーに、さらに、あらかじめ上記結露防止用ヒータへの電力供給線が取り付けられた構成とすると、カバーが嵌められることで電力供給線が位置決めされるので、誤ってこの電力供給線を傷つけたり切断したりすることを防止できる。
【実施例】
【００２１】
この発明の一実施例を図１〜図８に示す。この実施例の冷蔵庫は、図１（ａ）、（ｂ）に示すように、冷蔵庫本体１が仕切り桟２により複数の庫室３に区画され、この各庫室３の前面に取手４を有する断熱扉５が観音開き式に取り付けられたものである。各庫室３の開口部周縁に結露を防止する結露防止用ヒータ６が設けられ、各断熱扉５の裏面の周囲には冷蔵庫本体１とのすき間をシールするガスケット７が設けられる。
【００２２】
上記冷蔵庫本体１は、外箱８と内箱９とからなり、この両箱８、９間にウレタン等の断熱材１０が充填されたものである。この外箱８および内箱９としては、ステンレス鋼板製が考えられる。この冷蔵庫本体１の前面に貯蔵物を出し入れする開口部が形成されるとともに、内箱９の内部には貯蔵物を保冷する庫室３が形成されている。
【００２３】
上記冷蔵庫本体１の上部には、冷凍サイクルを設けたユニットベース（図示せず）が配置され、この冷凍サイクルからの冷気が上記各庫室３に送り込まれる。また、前記冷蔵庫本体１の下面には複数の支持脚１２が取り付けられ、冷蔵庫本体１が床面に支持される。
【００２４】
上記冷蔵庫本体１の外箱８の一部をなす前面側壁材１４は、図３に示すように、外箱８の側壁１３の開口側端部で折り曲げられ内箱９の側壁に向かって直交する方向に延びて、内箱９までの中間部分にまで達する。この前面側壁材１４の開口側先端部に、外箱８の側壁１３と平行して背面側に向かって折り曲げられた開口側壁材１５が形成される。さらに、この開口側壁材１５の背面側端部で折り曲げられ、上記内箱９の側壁に向かって直交する方向に延びる開口側折り曲げ部１６が形成される。
【００２５】
上記冷蔵庫本体１の開口部周縁は、図２、図３に示すように、上記断熱扉５との当接部に、樹脂カバー２０が嵌められている。この樹脂カバー２０は、合成樹脂製であり、上記外箱８の前面側壁材１４に接続する前面板部２１と、この前面部材２１に対して直交し内箱９の側壁と接続する側面板部２２とにより、断面Ｌ字状に形成されている。樹脂カバー２０は、合成樹脂製であるので、成形が容易であり、後述する結露防止用ヒータ６を取り付けるヒータ保持部２３や、外箱８の開口側折り曲げ部１６に係止する係止部２４や、リード線１７を嵌める溝２５などを容易に成形することができる。
【００２６】
上記樹脂カバー２０の前面板部２１は、図３に示すように、冷蔵庫本体１の背面側に向かって延びるヒータ保持部２３と、この保持部２３と連続し外箱８の側壁１３に向かって延びる係止部２４と、結露防止用ヒータ６に電気を供給するリード線１７を嵌める溝２５とを有する。前面板部２１は、磁石１８が埋め込まれ、この磁石１８が埋め込まれた前面板部２１が、磁性体を設けた断熱扉５のガスケット７と当接し、磁力による吸着作用により相互に吸着する。
【００２７】
なお、上記ガスケット７に磁石が設けられている場合は、樹脂カバー２０の前面板部２１には磁性体が埋め込まれる。この磁石と磁性体は、板片からなる態様のみならず、ガスケット７または樹脂カバー２０に鉄粉（磁石粉）を混入した態様を採用でき、要は、樹脂カバー２０の前面板部２１とガスケット７とが磁力による吸着作用によって相互に吸着するものであればいずれの態様でもよい。
【００２８】
また、上記樹脂カバー２０の前面板部２１の、冷蔵庫本体１の外箱８の開口側壁材１５との突き当て面部３２が、シール効果を発揮する軟質の合成樹脂材で形成される。この突き当て面部３２は、軟質の合成樹脂材で形成されているので、樹脂カバー２０が嵌められると、この合成樹脂材が圧縮変形して上記外箱８の開口側壁材１５と樹脂カバー２０の前面板部２１との間に生じるすき間を確実に埋める。このすき間が埋められれば、後工程で行うべきこのすき間を埋めるシール作業を省略することができる。
【００２９】
上記前面板部２１のヒータ保持部２３は、外箱８の側壁１３に向かって延びるヒータ押さえ片２６およびヒータ支持片２７が形成されたものである。このヒータ押さえ片２６は、上記係止部２４寄りの部分から外箱８の側壁１３に向かって延び途中で冷蔵庫本体１の前面側に向かって折れ曲がって形成される。また、前記ヒータ支持片２７は、前面板部２１寄りの部分から、前記ヒータ押さえ片２６の折れ曲がり部分に向かって延びて形成される。
【００３０】
上記ヒータ保持部２３は、ヒータ押さえ片２６により結露防止用ヒータ６を前面板部２１の裏面に押さえ付けるとともに、ヒータ支持片２７で結露防止用ヒータ６を前面板部２１に接触させた状態で支持する。このように、ヒータ保持部２３で結露防止用ヒータ６を前面板部２１の磁性体（磁石）１８に接触させた状態で取り付けることができる。これにより、結露防止用ヒータ６に通電してこれを発熱させ、この発熱による熱で前面板部２１の磁性体（磁石）１８を加熱するとともに、前面板部２１と当接する扉５のガスケット７を加熱して結露の発生を防止する。
【００３１】
また、上記樹脂カバー２０は、合成樹脂製であることから、その熱伝導率が、ステンレス鋼板製の外箱８および内箱９の熱伝導率よりも小さいため、冷蔵庫本体１の樹脂カバー２０の前面板部２１における庫内側、庫外側間の熱の移動が抑制され、庫内の冷気によって庫外側の前面板部２１が冷やされにくい。前面板部２１が冷やされにくくなれば、結露防止用ヒータ６の加熱による熱量を抑えることができるとともに、この結露防止用ヒータ６からの熱による庫内温度の上昇を最小限に抑えることができる。
【００３２】
上記結露防止用ヒータ６は、図４に示すように、あらかじめ樹脂カバー２０のヒータ保持部２３に取り付けられているので、上記樹脂カバー２０を冷蔵庫本体１の開口周縁部に嵌めることにより、結露防止用ヒータ６が樹脂カバー２０の扉５との当接部（前面板部２１）の所定位置に取り付けられる（図３参照）。このようにすれば、冷蔵庫本体１を組み立てる前に、冷蔵庫本体１の開口周縁部の内部に結露防止用ヒータをテープで固定する必要がなくなる。これにより、あらかじめ開口部を上向きにして置かれた内箱９に、外箱８を取り付けた樹脂カバー２０を挿し込んで、冷蔵庫本体１を製作することにより、結露防止用ヒータ６が所定位置に取り付けられるので、結露防止用ヒータ６の取り付け作業を容易に行うことができる。
【００３３】
また、上記樹脂カバー２０の係止部２４は、前面板部２１側に突き出た突条２８と、先端に形成された爪２９とを有する。この樹脂カバー２０が上記外箱８の前面側壁材１４に嵌められると、前記係止部２４の突条２８とヒータ押さえ片２６の折り曲がり部分とにより上記外箱８の開口側折り曲げ部１６が挟まれて、前記爪２９が上記外箱８の開口側壁材１５に引っ掛けられる。このようにして、上記外箱８の前面側壁材１４と、樹脂カバー２０の前面板部２１とが段差なく突き合わされる。
【００３４】
このとき、樹脂カバー２０のヒータ保持部２３で保持される結露防止用ヒータ６がそのヒータ押さえ片２６およびヒータ支持片２７の作用で、外箱８の板金（開口側壁材１５）に確実に接触する。これにより、結露防止用ヒータ６の熱が、樹脂カバー２０の前面板部２１の磁性体（磁石）１８だけでなく外箱８の前面側壁材１４にも伝わるので、効率よく結露の発生を防止することができる。
【００３５】
また、上記樹脂カバー２０のヒータ保持部２３と係止部２４との連結部分に、肉薄となる凹部３０を形成してもよい。この凹部３０により、ヒータ保持部２３および係止部２４を冷蔵庫本体１に対して前後方向に弾性変形させることができる。これにより、樹脂カバー２０を嵌める際、図４に示すように、係止部２４を開いて弾性変形させて、外箱８の開口側折り曲げ部１６に容易に嵌めることができる。
【００３６】
さらに、上記樹脂カバー２０の溝２５に上記リード線１７が嵌められることにより、樹脂カバー２０にリード線１７が保持される（図４参照）。このリード線１７が保持された樹脂カバー２０が冷蔵庫本体１の開口周縁部に嵌められると、リード線１７が樹脂カバー２０の扉５との当接部（前面板部２１）に取り付けられる。これにより、冷蔵庫本体１の開口周縁部の内部にリード線１７をテープで固定する必要がなくなり、リード線１７の取り付け作業を容易に行うことができる。さらに、リード線１７が位置決めされるので、従来のように、外箱８の側壁１３に取手などの部品用の取り付け孔を設ける際、誤ってこのリード線１７を傷つけたり切断したりすることを防止できる。
【００３７】
上記樹脂カバー２０の側面板部２２は、その端部の内側に弾性を有する押し付け片３１が設けられるものである。内箱９の側壁が樹脂カバー２０の側面板部２２とその押し付け片３１との間に差し込まれると、この押し付け片３１が、内箱９の側壁を樹脂カバー２０の側面板部２２に押し付け、内箱９の側壁と樹脂カバー２０が接続される。
【００３８】
上記冷蔵庫本体１の開口部の左右周縁に嵌めた樹脂カバー２０の側面板部２２は、図３に示すように、後述する仕切り桟２の横桟２ｂとの突き当て部分が、シール効果を発揮する軟質の合成樹脂により形成される。この突き当て部３３は、図２に示すように、冷蔵庫本体１の開口部周縁に横桟２ｂが取り付けられると、軟質の合成樹脂材が変形して樹脂カバー２０の側面板部２２と横桟２ｂとの間に生じるすき間を埋める。このすき間が埋められれば、後工程で行うすき間を埋めるシール作業を省略することができる。なお、前記突き当て部３３は、図５に示すように、樹脂カバー２０の側面板部２２に軟質の合成樹脂材をあらかじめ固定したものであってもよい。この場合でも、冷蔵庫本体１の開口部周縁に前記横桟２ｂが取り付けられると、突き当て部３３が変形するので、樹脂カバー２０の側面板部２２と横桟２ｂとのすき間を確実に埋めることができる（図６参照）。
【００３９】
一方、上記冷蔵庫本体１の開口部の上下周縁に嵌めた樹脂カバー２０の側面板部２２は、図７に示すように、後述する仕切り桟２の縦桟２ａとの突き当て部分が、シール効果を発揮する軟質の合成樹脂材により形成される。この突き当て部３３は、図２に示すように、冷蔵庫本体１の開口部周縁に横桟２ｂが取り付けられると、軟質の合成樹脂材が変形して樹脂カバー２０の側面板部２２と横桟２ｂとの間に生じるすき間を確実に埋める。なお、この突き当て部３３も、上述した突き当て部３３と同様に、樹脂カバー２０の側面板部２２に軟質の合成樹脂材をあらかじめ固定したものであってもよい。
【００４０】
上記樹脂カバー２０は、上記冷蔵庫本体１の開口部を区画する仕切り桟２にも嵌められる。この仕切り桟２は、図２に示すように、縦桟２ａと、２本の横桟２ｂとからなり、縦桟２ａが冷蔵庫本体１の開口部を左右に区画し、２本の横桟２ｂが縦桟２ａで区画された開口部を上下に区画するように取り付けられるものである。
【００４１】
上記縦桟２ａの前面板１９の両側は、図２に示すように、その扉５との当接部に上述した樹脂カバー２０ａがそれぞれ嵌められる。この各樹脂カバー２０ａは、図８に示すように、その前面板部２１が縦桟２ａの前面板１９に接続され、その側面板部２２ａが縦桟２ａの背面カバー３５の側壁に嵌められる。ここで、前記各樹脂カバー２０ａは、その側面板部２２ａの構造が、冷蔵庫本体１の開口部周縁に嵌められる樹脂カバー２０の側面板部２２と相違し、その他の構造は樹脂カバー２０と同様である。すなわち、その側面板部２２ａは、前記背面カバー３５の側壁に係合する爪３６と、固定用ねじを収納する凹部３７とが形成されている。
【００４２】
上記縦桟２ａの前面板１９は、その両端が背面に向かいさらに互いに外向きに折り曲げられた折り曲げ部３４が形成されたものである。この折り曲げ部３４に上記樹脂カバー２０の係止部２４が嵌め込まれて、この樹脂カバー２０の前面板部２１と、縦桟２ａの前面板１９とが段差なく接続される。また、縦桟２ａの側壁が樹脂カバー２０の側面板部とその押し付け片３１との間に差し込まれ、縦桟２ａに樹脂カバー２０が嵌められる。
【００４３】
このとき、樹脂カバー２０のヒータ保持部２３で保持される結露防止用ヒータ６が、縦桟２ａの前面板１９の折り曲げ部３４に接触する。これにより、結露防止用ヒータ６の熱が、樹脂カバー２０の前面板部２１だけでなく縦桟２ａの前面板１９にも伝わるので、効率よく結露の発生を防止することができる。
【００４４】
また、上記仕切り桟２の横桟２ｂの樹脂カバー２０の取り付け構造は、上述した縦桟２ａの取り付け構造と同様である。すなわち、前記横桟２ｂの、扉５の当接部に樹脂カバー２０が嵌められる。
【００４５】
上記縦桟２ａに嵌めた樹脂カバー２０の側面板部２２は、図８に示すように、横桟２ｂとの突き当て部分が、シール効果を発揮する軟質の合成樹脂により形成されたものである。この突き当て部３３は、図２に示すように、横桟２ｂが取り付けられると、変形して樹脂カバー２０の側面板部２２と横桟２ｂとの間に生じるすき間を埋める。なお、この突き当て部３３も、上述した冷蔵庫本体１の開口部周縁に嵌めた樹脂カバー２０の突き当て部３３と同様に、樹脂カバー２０の側面板部２２に軟質の合成樹脂材をあらかじめ固定したものであってもよい。
【００４６】
上記縦桟２ａおよび横桟２ｂは、上述した冷蔵庫本体１の開口部周縁と同様に、その扉５との当接部（樹脂カバーの前面板部２１）に、結露防止用ヒータ６が保持されている。このため、縦桟２ａおよび横桟２ｂの内部に結露防止用ヒータをテープで固定する必要がなくなり、結露防止用ヒータ６の取り付け作業を容易に行うことができる。
【００４７】
なお、この実施例では、冷蔵庫本体１が仕切り桟２により複数の庫室３に区画され、この各庫室３の前面に取手４を有する４枚の断熱扉５が観音開き式に取り付けられたものであるが、仕切り桟２を取り付けない冷蔵庫本体１の庫室３の前面に２枚の断熱扉５が観音開き式に取り付けられたもの、または、冷蔵庫本体１の庫室３の前面に１枚の断熱扉５を取り付けたものなど、種々の仕様の冷蔵庫にも適用することができる。
【図面の簡単な説明】
【００４８】
【図１】（ａ）この発明の実施例の冷蔵庫を示す正面図、（ｂ）（ａ）のＡ−Ａ線における冷蔵庫の断面図
【図２】同上の冷蔵庫の扉を取り除いた状態を示す平面図
【図３】同上の冷蔵庫の開口部周縁の左側を示す拡大断面図
【図４】同上の冷蔵庫の開口部周縁に嵌める樹脂カバーを示す拡大断面図
【図５】同上の軟質材を固定した樹脂カバーを示す拡大断面図
【図６】同上の冷蔵庫の開口部周縁の左側を示す拡大断面図
【図７】同上の冷蔵庫の開口部周縁の下側を示す拡大断面図
【図８】同上の冷蔵庫の縦桟を示す拡大断面図
【図９】従来の冷蔵庫の開口部周縁を示す拡大図
【符号の説明】
【００４９】
１  冷蔵庫本体
２  仕切り桟
２ａ  縦桟
２ｂ  横桟
３  庫室
４  取手
５  断熱扉
６  結露防止用ヒータ
７  ガスケット
８  外箱
９  内箱
１０  断熱材
１２  支持脚
１３  側壁
１４  前面側壁材
１５  開口側壁材
１６  開口側折り曲げ部
１７  リード線
１８  磁石
１９  前面板
２０  樹脂カバー
２１  前面板部
２２  側面板部
２３  ヒータ保持部
２４  係止部
２５  溝
２６  ヒータ押さえ片
２７  ヒータ支持片
２８  突条
２９  爪
３０  凹部
３１  押し付け片
３２  突き当て面部
３３  突き当て面部
３４  折り曲げ部
３５  背面カバー
４０  外箱
４１  内箱
４２  前面側壁材
４３  結露防止用ヒータ
４４  接着テープ
４５  リード線
４６  樹脂カバー
４７  断熱扉
４８  ガスケット
４９  ヒンジ
【図１】
2008039364.tif 000003
【図２】
2008039364.tif 000004
【図３】
2008039364.tif 000005
【図４】
2008039364.tif 000006
【図５】
2008039364.tif 000007
【図６】
2008039364.tif 000008
【図７】
2008039364.tif 000009
【図８】
2008039364.tif 000010
【図９】
2008039364.tif 000011